(57)【特許請求の範囲】
【請求項１】
複数のコンクリートブロックを上下、左右方向に組み合わせて組積みするコンクリートブロック構造で、上記コンクリートブロックの上面中央には長手方向にＶ字溝を形成し、該Ｖ字溝の両側を２段に形成し、上面上段部と上面下段部との間の段差を傾斜させるとともに、上記コンクリートブロックの下面を上記上面上段部と上面下段部とに対応して２段に形成し、それぞれに対応する下面上段部と下面下段部との間の段差面を傾斜させるとともに、上記コンクリートブロックを上下に積んだときに、上部コンクリートブロックの下面下段部と下部コンクリートブロックの上面下段部との間および上部コンクリートブロックの段差面と下部コンクリートブロックの段差面との間に隙間を形成し、これらの隙間の間に上下部コンクリートブロック間に施された目地モルタルを充填するとともに、上記コンクリートブロックの両端面には凹溝が開口形成され、この凹溝の外側の端面には互いに嵌合可能な突条と縦溝が形成され、縦溝の深さは突条の高さよりも大きく形成し、同じ構成の他のコンクリートブロックと突合せたときに、上記縦溝と突条との間には、上記凹溝から突合せ面に沿って移動したモルタルのはみ出し部の収容空間を形成したことを特徴とするコンクリートブロックの組積構造。
【発明の詳細な説明】
【技術分野】
【０００１】
本発明は、複数の上下、左右方向に噛み合わせて組積みするコンクリートブロックの組積構造に関するものである。
【背景技術】
【０００２】
一般に、この種のコンクリートブロックは、他のコンクリートブロックの上下、左右に組積みされるものであるが、単に積み上げるのではなく、下部のコンクリートブロックの上面に目地モルタルを置き、その上に上部のコンクリートブロックを積むことにより、両コンクリートブロックが一体に結合し、さらにコンクリートブロック間に縦横に縦筋と横筋とが配され、横からの圧力にも簡単には崩れないようになっている。
【０００３】
コンクリートブロックを上下に積む場合、具体的には、図６（ａ）に示されるように、まず下部のコンクリートブロック２０ａの上面に目地モルタル２１を置く。その際、目地モルタル２１はやや山盛りになるように置く。次に、同図（ｂ）のように、その上に上段のコンクリートブロック２０ｂを置く。上段のコンクリートブロック２０ｂの荷重により上下のコンクリートブロック２０ａ、２０ｂ間の目地モルタル２１の一部２２は潰されて外にはみ出す。そこで、同図（ｃ）のように、はみ出した余分な目地モルタル２２は目地コテを使って掻き落とし、目地の表面を平滑にならすのである。
【０００４】
このように、目地コテによる余分な目地モルタルは掻き落とされている。
【特許文献１】米国特許第２、５５８、６３０号公報
【発明の開示】
【発明が解決しようとする課題】
【０００５】
しかしながら、目地均し作業は手間がかかって面倒であり、特に、コンクリートブロックがシンプルな直方体状ではなく、その側面に一定の間隔で縦溝が形成されているような、いわゆるリブロックの場合、つまり側面に縦方向の凹凸が連続して形成されているので、リブとリブの間の縦の溝からはみ出した目地モルタルを掻き落として均す作業は難しく、熟練者でないとうまく目地を切れないほか、非常に時間がかかり煩わしいものであった。このため、施工に手間や時間がかかりコストアップの要因になっていた。しかも、掻き落とされたモルタルは地面に落ち、現場が汚れるから、目地均しの後、別途清掃作業をしなければならなかった。
【０００６】
本発明は上記問題点を解消し、目地モルタルを掻き落とす作業を実質的に不要とし、施工が容易で、施工期間も大幅に短縮することができるコンクリートブロック組積構造を提供することをその課題とする。
【課題を解決するための手段】
【０００７】
前記課題を解決するため、請求項１に係る発明は、複数のコンクリートブロックを上下、左右方向に組み合わせて組積みするコンクリートブロック構造で、上記コンクリートブロックの上面中央には長手方向にＶ字溝を形成し、該Ｖ字溝の両側を２段に形成し、上面上段部と上面下段部との間の段差を傾斜させるとともに、上記コンクリートブロックの下面を上記上面上段部と上面下段部とに対応して２段に形成し、それぞれに対応する下面上段部と下面下段部との間の段差面を傾斜させるとともに、上記コンクリートブロックを上下に積んだときに、上部コンクリートブロックの下面下段部と下部コンクリートブロックの上面下段部との間および上部コンクリートブロックの段差面と下部コンクリートブロックの段差面との間に隙間を形成し、これらの隙間の間に上下部コンクリートブロック間に施された目地モルタルを充填するとともに、上記コンクリートブロックの両端面には凹溝が開口形成され、この凹溝の外側の端面には互いに嵌合可能な突条と縦溝が形成され、縦溝の深さは突条の高さよりも大きく形成し、同じ構成の他のコンクリートブロックと突合せたときに、上記縦溝と突条との間には、上記凹溝から突合せ面に沿って移動したモルタルのはみ出し部の収容空間を形成したことを特徴とする。
【発明の効果】
【０００８】
請求項１に係る発明によれば、上部コンクリートブロックの下面下段部と下部コンクリートブロックの上面下段部との間および上部コンクリートブロックの段差面と下部コンクリートブロックの段差面との間に隙間を形成し、これらの隙間の間に上下部コンクリートブロック間に施された目地モルタルを充填するので、積み重ねた状態で目地モルタルがコンクリートブロックの側面からはみ出すことはない。したがって、目地均し作業もその後の清掃作業も不要となるので、施工期間を大幅に短縮することができ、また熟練工でなくても施工できるから、費用も大幅に削減することができる。
【０００９】
また、縦溝の深さは突条の高さよりも大きく形成され、２つのコンクリートブロックを左右に突合せたときに、端面の中央部の凹溝が相対して独立した縦穴が形成されるとともに、上記縦溝と突条との間にはモルタルのはみ出し部の収容空間が形成されるので、上記縦穴にモルタルを充填したとき、モルタルの一部は左右両コンクリートブロックの突合せ面に沿って外に移動していく。しかし、このはみ出し部分は上記収容空間に収容されるので、それ以上は外に移動しない。したがって、左右に突合せられた２つのコンクリートブロックの間からもモルタルが染み出すことがない。したがって、縦目地を掻く作業も不要となる。
【発明を実施するための最良の形態】
【００１０】
図１および図２において符号１は本発明に係るコンクリートブロックを示す。このコンクリートブロック１は、略直方体状に形成されている。そして、コンクリートブロック１の上面中央には、その長手方向にＶ字溝２が形成されている。また、該Ｖ字溝２の両側は上面上段部３と上面下段部４の２段に形成され、上面上段部３と上面下段部４との間の段差面５は内側に向って低く傾斜している。
【００１１】
なお、上記上面上段部３と上面下段部４の幅は略等しい。
【００１２】
また、上記コンクリートブロック１の下面も、上記上面上段部３と上面下段部４とに対応して下面上段部６と下面下段部７との２段に形成されている。下面上段部６と下面下段部７との間の段差面８も、内側に向って低くなるように傾斜している。
【００１３】
さらに、上記コンクリートブロック１１の中央には３個の縦穴９が形成され、中央の縦穴９ａは貫通している。また両端面の中央部には凹溝１０が開口形成されている。そして、この凹溝１０の外側の端面には互いに嵌合可能な突条１１と縦溝１２が形成されている。縦溝１２の深さは突条１１の高さよりも大きく形成されている。
【００１４】
次に、上記構成の複数のコンクリートブロックは上下、左右方向に組み合わせられて組積みされる。すなわち、上記構成のコンクリートブロックを組積みする場合、まず、上下に積むにあたっては、図３に示されるように、下部コンクリートブロック１ａの上面下段部４上に目地モルタル１３を置いておき、その上に図４のように上部コンクリートブロック１ｂを積み重ねる。このとき、上部コンクリートブロック１ｂの下面下段部７と下部コンクリートブロック１ａの上面下段部４との間に隙間１４が形成されるので、目地モルタル１３のほとんどは上記隙間１４に充填されて収まる。さらに、上記隙間１４に入りきらなかった部分があれば、それは、上部コンクリートブロック１ｂの段差面５と下部コンクリートブロック１ａの段差面８との間の隙間１５に収まる。
【００１５】
上記段差面間の隙間１４は外に向って高く形成されているので、目地モルタル１３が下方に流れて外に流れ出すことはない。
【００１６】
ところで、下部コンクリートブロック１ａの上に上部コンクリートブロック１ｂを積み重ねる際、それぞれの段差面５、８は傾斜面であるから、上部コンクリートブロック１ｂは多少位置がずれても上記傾斜面に沿って案内されてスライドするので、積み作業が容易であるほか、傾斜面同士のスライドであるから位置決めしやすい。
【００１７】
また、なお、上記上面上段部３と上面下段部４の幅は略等しいから、上面上段部３は十分な厚さが確保され、十分な強度が得られる。したがって、上部のコンクリートブロック１ａが下部コンクリートブロック１ａに多少強く当っても、一部が欠けたり砕けたりすることがない。
【００１８】
以上のように、上記目地モルタル１３は上下のコンクリートブロック１ａ、１ｂ間の外にはみ出すことはない。したがって、目地均し作業もその後の清掃作業も不要となるので、施工期間を大幅に短縮することができ、熟練工でなくても施工できるから、費用も大幅に削減することができる。特に、リブブロックのように、側面に凹凸形状があるようなコンクリートブロック１の組積みには非常に有効である。
【００１９】
次に、上記構成のコンクリートブロック１ａを左右に突合せる場合について説明すると、図５に示されるように、コンクリートブロック１ｃの両端面の中央部には凹溝１０が開口形成されているので、２つのコンクリートブロック１ａ、１ｃを左右に突合せたときに、一方の縦溝１２と他方の突条１１とを嵌合させる。これにより、両コンクリートブロック１は横方向に正しく位置決めされる。そして、このとき、端面の中央部の凹溝１０が相対して独立した縦穴１６が形成される。また、上記縦溝１２と突条１１との間にはモルタルの染み出し部分の収容空間１７が形成される。そこで、上記縦穴１６にはモルタル１８を充填する。このとき、モルタル１８の一部は、ごくわずかであるが左右両コンクリートブロック１ａ、１ｃの突合せ面に沿って外に移動する。しかし、この染み出し部分は上記収容空間１７に収容されるので、それ以上は外に移動しない。したがって、左右に突合せられた２つのコンクリートブロック１ａ、１ｃの間からもモルタルが染み出すことがない。したがって、縦目地を掻く作業も不要となる。
【００２０】
なお、説明を省略したが、組積みしたブロック間には横筋と縦筋を通すことはもちろんである。
【図面の簡単な説明】
【００２１】
【図１】本発明に係るコンクリートブロックの斜視図である。
【図２】上記コンクリートブロックの平面図である。
【図３】上記コンクリートブロック上に目地コンクリートを置いた状態の側面図である。
【図４】上記コンクリートブロックを上下に積んだ状態の縦断面図である。
【図５】上記コンクリートブロックを左右に並べた状態の平面図である。
【図６】（ａ）（ｂ）（ｃ）は従来のコンクリートブロックを上下に積んだ状態の側面図である。
【符号の説明】
【００２２】
１    コンクリートブロック
３    上面上段部
４    上面下段部
５、８  段差面
６    下面上段部
７    下面下段部
１３  目地モルタル
１４、１５  隙間
【図１】
0004424325.tif 000002
【図２】
0004424325.tif 000003
【図３】
0004424325.tif 000004
【図４】
0004424325.tif 000005
【図５】
0004424325.tif 000006
【図６】
0004424325.tif 000007